【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
開口を形成するための複数の絞り羽根で構成された絞りと、
前記複数の絞り羽根の少なくとも１つに固定され、前記開口を通過する光の光量を減衰するために用いられる光の透過率が場所によって異なるフィルター部材とを備え、前記複数の絞り羽根の相対的な移動によって前記開口の開口領域における面積を変化させて光量を調整する光量調整装置において、
前記フィルター部材は、前記絞りの開放状態において前記開口の光軸を含む一部の開口領域の面積の５１％以上９５％以下を覆うことを特徴とする光量調整装置。
【請求項２】
前記フィルター部材は、多層膜によって形成された透過率が異なる複数の領域を有することを特徴とする請求項１に記載の光量調整装置。
【請求項３】
前記多層膜は、反射を低減させる層を有することを特徴とする請求項２に記載の光量調整装置。
【請求項４】
前記多層膜は、透過波面位相差を｛１±（１／５）｝λ又は｛２±（１／５）｝λの範囲となるように設定するための層を有することを特徴とする請求項２または請求項３に記載の光量調整装置。
【請求項５】
前記フィルター部材は、該フィルター部材の最も透過率が高い部分の透過率が７５％以上であることを特徴とする請求項１乃至４のいずれか１項に記載の光量調整装置。
【請求項６】
前記フィルター部材は、前記光軸に対し斜めに配置されていることを特徴とする請求項１乃至５のいずれか１項に記載の光量調整装置。
【請求項７】
請求項１乃至６のいずれか１項に記載の光量調整装置を有する光学系を備えたことを特徴とする光学装置。
【手続補正２】
【補正対象書類名】明細書
【補正対象項目名】発明の名称
【補正方法】変更
【補正の内容】
【発明の名称】光量調整装置、光学装置
【手続補正３】
【補正対象書類名】明細書
【補正対象項目名】０００１
【補正方法】変更
【補正の内容】
【０００１】
本発明は、ビデオカメラやデジタルスチルカメラ等の撮影装置に好適な光量調整装置、光学装置（レンズ装置）に関し、特に画素ピッチの小さな撮像素子においても光学性能の劣化を抑制することが可能な技術に関するものである。
【手続補正４】
【補正対象書類名】明細書
【補正対象項目名】０００７
【補正方法】変更
【補正の内容】
【０００７】
そこで本発明は、光量を減衰させ光の透過率が場所によって異なるフィルター部材を用いる光量調整装置において、フィルター部材の微小な厚み成分の影響による光学性能劣化を低減し、良好な光量調整を行うことが可能となる光量調整装置、光学装置（レンズ装置）を提供することを目的とするものである。
【手続補正５】
【補正対象書類名】明細書
【補正対象項目名】０００８
【補正方法】変更
【補正の内容】
【０００８】
本発明は、以下のように構成した光量調整装置、光学装置（レンズ装置）を提供するものである。
すなわち、開口を形成するための複数の絞り羽根で構成された絞りと、
前記複数の絞り羽根の少なくとも１つに固定され、前記開口を通過する光の光量を減衰するために用いられる光の透過率が場所によって異なるフィルター部材とを備え、前記複数の絞り羽根の相対的な移動によって前記開口の開口領域における面積を変化させて光量を調整する光量調整装置において、
前記フィルター部材は、前記絞りの開放状態において前記開口の光軸を含む一部の開口領域の面積の５１％以上９５％以下を覆うことを特徴としている。
従来のものでは、前記フィルターが絞りの中に進入してくる際に、該フィルターの厚みによって、フィルターを通過する光とフィルターが無い部分を通過する光とで現象が異なる。
そのため、像面上に形成される画質に影響が発生し、不具合が生じることとなる。
これに対して、本発明の上記構成によれば、該フィルター部材が絞り開放時に撮影レンズの光軸を横断して覆うこととなり、レンズの主光線がフィルター側を通過するので、フィルターが無い側の影響が少なくなり、これにより画質劣化が少なくなる。
具体的には該フィルター部材が絞り開放時に開口面積の５１％以上を覆う設定にすることにより、フィルターが無い部分を通過する光の影響が少なくなり、結像性能の悪化を防ぐことが可能となる。
また、解放から絞っていく場合は更に開口面積に対するフィルター部の面積が増加するので良好な状態になっていく。
また、前記フィルター部材は、フィルターの場所によって透過率が異なるような構成にすることで、単一濃度のフィルターのようなフィルターが無い部分を通過する光量と有る部分を通過する光量との差が大きく発生することを防止することができ、撮影した画面での光量ムラの発生をなくすことが可能となる。
更に、このような光量ムラの発生をなくすためには、フィルターの濃度が前記フィルターを挿入する方向に対して緩やかに変化することが望ましい。
また、本発明の光量調整装置は、前記フィルター部材を、多層膜によって形成された透過率が異なる複数の領域を有する構成を採ることができる。
このようにフィルター部材を多層膜で作ることにより、フィルターで濃度変化を作る場合、濃度変化をある程度自由に制御でき、また濃度をつけるために必要なフィルターの厚さを薄くすることが可能となる。
これにより、撮影光学系に挿入される前記フィルターが及ぼす影響が少なくなり、光学性能の劣化を少なくすることができる。
また、前記多層膜は反射を低減させる層を有する構成とすることが望ましい。従来、撮影光学系内にフィルターのような平面板が存在すると、ゴーストやフレアーの原因となっていた。そこで前記フィルターを多層膜構成にすることにより反射防止膜を構成して、ゴーストやフレアーを低減することが可能になる。
さらに、微小な厚み成分の影響による光学性能劣化を低減するための適切な透過波面位相差とするため、前記多層膜に該透過波面位相差を｛１±（１／５）｝λ又は｛２±（１／５）｝λの範囲となるように設定するための層を構成することができる。
また、開口面積の５１％以上を覆うフィルターの透過率が低いとレンズ全体の透過光量が減少し、ＴＮｏが暗くなり好ましくない。
このため、前記フィルター部材の最も透過率が高い部分は、７５％以上の透過率を有する構成とし、より望ましくは、９０％以上とすることが望ましい。
更に、前記多層膜は反射を低減させる層を有する構成とすることが望ましい。
また、前記透過光量調整手段は、撮影画面に対し、上下方向に傾いている構成を採ることができる。
通常のカメラ撮影時、特にビデオカメラのような動画撮影の場合、記録画像を再生して鑑賞するときはＴＶモニターなどで鑑賞する。このときカメラで撮影した上側がモニターの上側と一致する。
このとき、前記フィルターで発生するゴーストに最も影響する光源は、太陽光やライトなどが多いが、それらはいずれも確率的に画面の上側に存在する場合が多い。
そこで、前記フィルターを上下に傾けることにより撮影画面外に有効に飛ばすことが可能となる。左右に傾けて飛ばすことも可能だが、傾ける角度が大きくなり光学系の大型化を招き好ましくない。
また、前記フィルター自身が光軸に対して斜めに配置されていれば、前記透過光量調整手段の複数の絞り羽根は、光軸に対し垂直に配置していてもよい。
また、本発明においては、上記した本発明の光量調整装置を用いることにより、ゴーストやフレアーの発生が少なく、小型化を図ることが可能となる光学装置（レンズ装置）を実現することが可能となる。